(57)【要約】【課題】電子カルテ装置における入力を利用して、検査結果情報を容易に患者情報に対応付けられるようにする。【解決手段】電子カルテ装置２０によれば、制御部２１は、表示部２３に表示されているカルテ画面Ｇ１において操作部２２により医用画像の撮影検査に係る診療行為情報が入力された場合、モダリティー１０から送信された医用画像を表示部２３に表示されているカルテ画面Ｇ１の患者の患者情報に対応付けて記憶部２６に記憶させる。【選択図】図３
2014115812.tif 000002
【特許請求の範囲】
【請求項１】
患者に対する検査を行って検査結果情報を生成する検査装置に接続された電子カルテ装置であって、
診断対象の患者を指定するための患者指定手段と、
前記患者指定手段により指定された患者についての電子カルテ情報を入力するためのカルテ画面を表示する表示手段と、
前記表示手段に表示されているカルテ画面において検査に係る診療行為情報を入力するための操作手段と、
前記操作手段により検査に係る診療行為情報が入力された場合、前記検査装置において生成された前記検査に係る検査結果情報を前記表示手段に表示されているカルテ画面の患者の患者情報に対応付けて記憶手段に記憶させる制御手段と、
を備える電子カルテ装置。
【請求項２】
前記カルテ画面には、予め定められた複数の診療行為の中から実施する診療行為を選択するための各診療行為毎のスタンプが表示されており、
前記操作手段による前記検査に係る診療行為情報の入力は、前記カルテ画面の新規カルテ入力領域に前記検査に係るスタンプをドラッグアンドドロップすることにより行われる請求項１に記載の電子カルテ装置。
【請求項３】
前記検査装置は、ＣＲ装置、超音波検査装置、ＣＴ装置、ＭＲＩ装置、検体検査装置、心電計、又は内視鏡装置を含む請求項１又は２に記載の電子カルテ装置。
【請求項４】
電子カルテ装置と、患者に対する検査を行って検査結果情報を生成する検査装置とを備える診断システムであって、
前記電子カルテ装置は、
診断対象の患者を指定するための患者指定手段と、
前記患者指定手段により指定された患者についての電子カルテ情報を入力するためのカルテ画面を表示する表示手段と、
前記表示手段に表示されているカルテ画面において検査に係る診療行為情報を入力するための操作手段と、
前記操作手段により検査に係る診療行為情報が入力された場合、前記検査装置において生成された前記検査に係る検査結果情報を前記表示手段に表示されているカルテ画面の患者の患者情報に対応付けて記憶手段に記憶させる制御手段と、
を備える診断システム。
【請求項５】
前記電子カルテ装置及び前記検査装置に接続された第２の電子カルテ装置を備え、
前記制御手段は、前記操作手段により検査に係る診療行為情報が入力された場合、前記検査に係る検査オーダー情報を生成して前記第２の電子カルテ装置に送信し、前記第２の電子カルテ装置を介して受信した前記検査装置において生成された検査結果情報を前記表示手段に表示されているカルテ画面の患者の患者情報に対応付けて前記記憶手段に記憶させる請求項４に記載の診断システム。
【請求項６】
前記第２の電子カルテ装置は、前記電子カルテ装置から検査オーダー情報が発行されたこと及びその検査オーダー情報の詳細内容を表示する表示手段を備える請求項５に記載の診断システム。
【請求項７】
前記カルテ画面には、予め定められた複数の診療行為の中から実施する診療行為を選択するための各診療行為毎のスタンプが表示されており、
前記操作手段による前記検査に係る診療行為情報の入力は、前記カルテ画面の新規カルテ入力領域に前記検査に係るスタンプをドラッグアンドドロップすることにより行われる請求項４〜６の何れか一項に記載の診断システム。
【請求項８】
前記検査装置は、ＣＲ装置、超音波検査装置、ＣＴ装置、ＭＲＩ装置、検体検査装置、心電計、又は内視鏡装置を含む請求項４〜７の何れか一項に記載の診断システム。
【請求項９】
患者に対する検査を行って検査結果情報を生成する検査装置に接続された電子カルテ装置に用いられるコンピューターを、
診断対象の患者を指定するための患者指定手段、
前記患者指定手段により指定された患者についての電子カルテ情報を入力するためのカルテ画面を表示する表示手段、
前記表示手段に表示されているカルテ画面において検査に係る診療行為情報を入力するための操作手段、
前記操作手段により検査に係る診療行為情報が入力された場合、前記検査装置において生成された前記検査に係る検査結果情報を前記表示手段に表示されているカルテ画面の患者の患者情報に対応付けて記憶手段に記憶させる制御手段、
として機能させるためのプログラム。
【発明の詳細な説明】
【技術分野】
【０００１】
本発明は、電子カルテ装置、診断システム及びプログラムに関する。
【背景技術】
【０００２】
従来、ＣＲ（Computed Radiography）装置やＦＰＤ（Flat Panel Detector）装置等の各種モダリティーで生成された医用画像を患者情報と対応付けてデータベースに記憶、管理するとともに、医用画像をビューアー画面に表示して、医師による読影診断のために提供する医用画像管理装置（ＰＡＣＳ：Picture Archiving and Communication System）が知られている。
【０００３】
モダリティーでの撮影に際しては、一般的に、検査オーダー情報の発行が必要である。モダリティーでは、検査オーダー情報に従って撮影が行われ、得られた医用画像は、検査オーダー情報の患者情報に対応付けられる。しかし、開業医やクリニック等の小規模な医療施設においては、多くの場合、患者の診断を行う医師は一人であり、モダリティーの設置台数も少ない。そのため、わざわざ検査オーダー情報を発行するのは手続きが煩雑である。
そこで、例えば、特許文献１には、ビューアー画面に画像取り込みボタンを設け、診断対象の患者のビューアー画面を開いて画像取り込みボタンを押下すると、モダリティーから送信された医用画像をその患者の患者情報と対応付けて記憶するとともに、ビューアー画面に表示する医用画像管理装置が記載されている。
【０００４】
一方、医療施設では、読影診断を行うための上述の医用画像管理装置の他、電子カルテ装置の利用も進んでいる。電子カルテ装置は、紙のカルテに記載されていた患者の病状や処方等の情報を電子化して記憶・管理するものである。電子カルテ装置では、電子カルテ情報の記録、医事会計システム（レセプトコンピューター）に対する治療や処方内容の送信等が行われる。
【先行技術文献】
【特許文献】
【０００５】
【特許文献１】特開２０１０−１２４９４３号公報
【発明の概要】
【発明が解決しようとする課題】
【０００６】
ところで、医用画像の撮影検査が行われる場合は、診療報酬の請求のために、医用画像を撮影することがカルテに記録（入力）される。即ち、電子カルテ装置において医用画像を撮影する旨が入力された場合は、医用画像の撮影検査が行われるのが一般的である。
【０００７】
しかしながら、従来、電子カルテ装置と医用画像管理装置はそれぞれ独立しており、電子カルテ装置上の入力と医用画像管理装置上の入力は互いに連携していなかった。そのため、この電子カルテ装置における入力とは別途、検査オーダー情報を発行したり、医用画像管理装置やモダリティーのコンソールで医用画像の取り込み操作を行ったりする必要があり、煩雑であった。血液検査や生体検査等、他の検査においても同様である。
【０００８】
本発明の課題は、電子カルテ装置における入力を利用して、検査結果情報を容易に患者情報に対応付けられるようにすることである。
【課題を解決するための手段】
【０００９】
上記課題を解決するために、請求項１に記載の発明は、
患者に対する検査を行って検査結果情報を生成する検査装置に接続された電子カルテ装置であって、
診断対象の患者を指定するための患者指定手段と、
前記患者指定手段により指定された患者についての電子カルテ情報を入力するためのカルテ画面を表示する表示手段と、
前記表示手段に表示されているカルテ画面において検査に係る診療行為情報を入力するための操作手段と、
前記操作手段により検査に係る診療行為情報が入力された場合、前記検査装置において生成された前記検査に係る検査結果情報を前記表示手段に表示されているカルテ画面の患者の患者情報に対応付けて記憶手段に記憶させる制御手段と、
を備える。
【００１０】
請求項２に記載の発明は、請求項１に記載の発明において、
前記カルテ画面には、予め定められた複数の診療行為の中から実施する診療行為を選択するための各診療行為毎のスタンプが表示されており、
前記操作手段による前記検査に係る診療行為情報の入力は、前記カルテ画面の新規カルテ入力領域に前記検査に係るスタンプをドラッグアンドドロップすることにより行われる。
【００１１】
請求項３に記載の発明は、請求項１又は２に記載の発明において、
前記検査装置は、ＣＲ装置、超音波検査装置、ＣＴ装置、ＭＲＩ装置、検体検査装置、心電計、又は内視鏡装置を含む。
【００１２】
請求項４に記載の発明は、
電子カルテ装置と、患者に対する検査を行って検査結果情報を生成する検査装置とを備える診断システムであって、
前記電子カルテ装置は、
診断対象の患者を指定するための患者指定手段と、
前記患者指定手段により指定された患者についての電子カルテ情報を入力するためのカルテ画面を表示する表示手段と、
前記表示手段に表示されているカルテ画面において検査に係る診療行為情報を入力するための操作手段と、
前記操作手段により検査に係る診療行為情報が入力された場合、前記検査装置において生成された前記検査に係る検査結果情報を前記表示手段に表示されているカルテ画面の患者の患者情報に対応付けて記憶手段に記憶させる制御手段と、
を備える。
【００１３】
請求項５に記載の発明は、請求項４に記載の発明において、
前記電子カルテ装置及び前記検査装置に接続された第２の電子カルテ装置を備え、
前記制御手段は、前記操作手段により検査に係る診療行為情報が入力された場合、前記検査に係る検査オーダー情報を生成して前記第２の電子カルテ装置に送信し、前記第２の電子カルテ装置を介して受信した前記検査装置において生成された検査結果情報を前記表示手段に表示されているカルテ画面の患者の患者情報に対応付けて前記記憶手段に記憶させる。
【００１４】
請求項６に記載の発明は、請求項５に記載の発明において、
前記第２の電子カルテ装置は、前記電子カルテ装置から検査オーダー情報が発行されたこと及びその検査オーダー情報の詳細内容を表示する表示手段を備える。
【００１５】
請求項７に記載の発明は、請求項４〜６の何れか一項に記載の発明において、
前記カルテ画面には、予め定められた複数の診療行為の中から実施する診療行為を選択するための各診療行為毎のスタンプが表示されており、
前記操作手段による前記検査に係る診療行為情報の入力は、前記カルテ画面の新規カルテ入力領域に前記検査に係るスタンプをドラッグアンドドロップすることにより行われる。
【００１６】
請求項８に記載の発明は、請求項４〜７の何れか一項に記載の発明において、
前記検査装置は、ＣＲ装置、超音波検査装置、ＣＴ装置、ＭＲＩ装置、検体検査装置、心電計、又は内視鏡装置を含む。
【００１７】
請求項９に記載の発明のプログラムは、
患者に対する検査を行って検査結果情報を生成する検査装置に接続された電子カルテ装置に用いられるコンピューターを、
診断対象の患者を指定するための患者指定手段、
前記患者指定手段により指定された患者についての電子カルテ情報を入力するためのカルテ画面を表示する表示手段、
前記表示手段に表示されているカルテ画面において検査に係る診療行為情報を入力するための操作手段、
前記操作手段により検査に係る診療行為情報が入力された場合、前記検査装置において生成された前記検査に係る検査結果情報を前記表示手段に表示されているカルテ画面の患者の患者情報に対応付けて記憶手段に記憶させる制御手段、
として機能させる。
【発明の効果】
【００１８】
本発明によれば、電子カルテ装置における入力を利用して、モダリティーにおいて撮影された医用画像を容易に患者情報に対応付けることが可能となる。
【図面の簡単な説明】
【００１９】
【図１】第１の実施形態における診断システムのシステム構成図である。
【図２】電子カルテ装置の機能的構成を示すブロック図である。
【図３】第１の実施形態において電子カルテ装置及びモダリティーにより実行される画像取り込み表示処理の流れを示す図である。
【図４Ａ】カルテ画面の一例を示す図である。
【図４Ｂ】新規カルテ入力領域が表示されたカルテ画面の一例を示す図である。
【図５】カルテ・ビューアー画面の一例を示す図である。
【図６】ビューアー画面の一例を示す図である。
【図７】第２の実施形態における診断システムのシステム構成図である。
【図８Ａ】第２の実施形態において電子カルテ装置及びモダリティーにより実行される画像取り込み表示処理Ｂを示す図である。
【図８Ｂ】第２の実施形態において電子カルテ装置及びモダリティーにより実行される画像取り込み表示処理Ｂを示す図である。
【発明を実施するための形態】
【００２０】
以下、添付図面を参照して本発明に係る好適な実施形態を詳細に説明する。なお、本発明は、図示例に限定されるものではない。
【００２１】
＜第１の実施形態＞
まず、第１の実施形態の構成について説明する。
〔診断システム１の構成〕
図１に、本発明に係る第１の実施形態における診断システム１の全体構成例を示す。
診断システム１は、開業医やクリニック等の比較的小規模の医療施設に適用されるシステムであり、図１に示すように、モダリティー１０と、電子カルテ装置２０と、受付装置３０と、医事会計システム４０と、を備えて構成されている。診断システム１を構成する各装置は、ＬＡＮ（Local Area Network）等の通信ネットワークＮを介してデータ通信可能に接続されている。
【００２２】
モダリティー１０は、撮影室に設けられ、患者の診断対象部位を撮影し、デジタルの医用画像を生成する画像生成装置である。モダリティー１０としては、ＣＲ装置、ＦＰＤ装置等のＸ線画像撮影装置、超音波検査装置（ＵＳ）、内視鏡装置、ＣＴ（Computed Tomography）装置、ＭＲＩ（Magnetic Resonance Imaging）装置等が適用可能である。
【００２３】
電子カルテ装置２０は、診察室に設けられ、電子カルテ機能、画像ビューアー機能を有するコンピューター装置である。電子カルテ装置２０は、患者毎、診断毎に、電子カルテ情報を生成し、電子カルテＤＢ（Data Base）２６２（図２参照）に記憶する。また、電子カルテ装置２０は、電子カルテ情報に含まれる患者情報、日付及び診療行為情報を医事会計システム４０に送信する。
ここで、電子カルテ情報は、患者情報（患者ＩＤ、患者名、性別、年齢等）、日付、自由記述情報及び診療行為情報により構成される。自由記述情報は、例えば、所見、主訴、既往症、嗜好、診断に用いた医用画像の縮小画像等、医師が必要と認める情報を自由に記録した情報である。診療行為情報は、医師が患者に対して行った診療行為を示す情報、例えば、傷病名、投薬（処方）、処置、注射、検査、手術、放射線、リハビリテーション等の情報である。
【００２４】
受付装置３０は、受付に設けられ、患者の受付情報（受付日付、受付番号、受付された患者の患者情報等）を入力するためのコンピューター装置である。受付装置３０は、入力された受付情報を記憶するとともに、受付情報を電子カルテ装置２０、医事会計システム４０に送信する。
【００２５】
医事会計システム４０は、会計計算や保険点数計算等を行うためのコンピューター装置である。医事会計システム４０は、電子カルテ装置２０から電子カルテ情報に含まれる患者情報、日付及び診療行為情報を受信する。医事会計システム４０は、診療行為情報に含まれる診療行為を診療報酬の点数に変換し、会計計算や保険点数計算を行い、レセプトデータを生成する。レセプトデータは、患者が受けた診療について、医療機関が保険者（市町村や健康保険組合等）に医療費を請求するための診療報酬明細書（レセプト）の情報である。レセプトデータには、患者情報（患者氏名、性別、生年月日等）、患者の健康保険加入情報、請求元の医療機関名、診療科、診療行為情報、診療行為情報に含まれる各診療行為に対応する診療報酬の点数等が記載されている。
【００２６】
なお、診断システム１を構成する各装置の数は、特に限定されない。
また、診断システム１における通信方式としては、一般的に、ＤＩＣＯＭ規格が用いられており、各装置間の通信では、ＤＩＣＯＭ  ＭＷＭ（Modality Worklist Management）やＤＩＣＯＭ  ＭＰＰＳ（Modality Performed Procedure Step）が用いられる。
【００２７】
〔電子カルテ装置２０の構成〕
図２に、電子カルテ装置２０の機能的構成を示す。
図２に示すように、電子カルテ装置２０は、制御部２１、操作部２２、表示部２３、通信部２４、ＲＡＭ（Random Access Memory）２５、記憶部２６等を備えて構成されており、各部はバス２７により接続されている。
【００２８】
制御部２１は、ＣＰＵ（Central Processing Unit）等から構成され、電子カルテ装置
２０の各部の処理動作を統括的に制御する。具体的には、ＣＰＵは、操作部２２から入力される操作信号又は通信部２４により受信される指示信号に応じて、記憶部２６に記憶されている各種処理プログラムを読み出してＲＡＭ２５に展開し、当該プログラムとの協働により各種処理を行う。制御部２１は、電子カルテ機能プログラムＰ１及び画像ビューアー機能プログラムＰ２との協働により、制御手段として機能する。
【００２９】
操作部２２は、カーソルキー、数字入力キー及び各種機能キー等を備えたキーボードと、マウス等のポインティングデバイスを備えて構成され、キーボードに対するキー操作やマウス操作により入力された操作信号を制御部２１に出力する。
また、操作部２２は、表示部２３の表面を覆うように透明電極を格子状に配置したタッチパネル等を有し、手指やタッチペン等で押下された位置を検出し、その位置情報を操作情報として制御部２１に出力する構成としてもよい。
【００３０】
表示部２３は、ＬＣＤ（Liquid Crystal Display）等のモニターを備えて構成されており、制御部２１から入力される表示信号の指示に従って、各種画面を表示する。
【００３１】
通信部２４は、ネットワークインターフェース等により構成され、通信ネットワークＮを介して接続された外部機器との間でデータの送受信を行う。例えば、通信部２４は、受付装置３０から受付情報を受信する。また、通信部２４は、モダリティー１０により患者を撮影して得られた医用画像を受信する。また、通信部２４は、電子カルテ情報の患者情報、日付及び診療行為情報を医事会計システム４０に送信する。
【００３２】
ＲＡＭ２５は、制御部２１により実行制御される各種処理において、記憶部２６から読み出された各種プログラム、入力若しくは出力データ及びパラメーター等を一時的に記憶するワークエリアを形成する。
【００３３】
記憶部２６は、ＨＤＤ（Hard Disk Drive）や不揮発性メモリー等により構成され、各
種処理プログラム、当該プログラムの実行に必要なデータを記憶している。
具体的に、記憶部２６には、電子カルテ機能プログラムＰ１、画像ビューアー機能プログラムＰ２、受付リストＤＢ２６１、電子カルテＤＢ２６２、画像ＤＢ２６３、スタンプ情報ファイル２６４等が記憶されている。
【００３４】
電子カルテ機能プログラムＰ１は、制御部２１に電子カルテ情報の作成、表示、転送、記憶等の電子カルテに係る機能を実現させるためのプログラムである。
画像ビューアー機能プログラムＰ２は、制御部２１に医用画像の記憶、表示等の医用画像に係る機能を実現させるためのプログラムである。
【００３５】
なお、本実施形態においては、電子カルテ機能プログラムＰ１及び画像ビューアー機能プログラムＰ２は記憶部２６に記憶されている構成とするが、電子カルテ装置２０の起動時にインターネット等を介して外部のデータ管理サーバーにアクセスしてダウンロードするＳａａＳ（Software as a Service）型のプログラムとしてもよい。
【００３６】
受付リストＤＢ２６１は、通信部２４により受付装置３０から送信され、通信部２４により受信された受付情報を格納するためのデータベースである。
電子カルテＤＢ２６２は、作成された電子カルテ情報を格納するためのデータベースである。
画像ＤＢ２６３は、通信部２４によりモダリティー１０から送信され、通信部２４により受信された医用画像を患者情報と対応付けて格納するためのデータベースである。
スタンプ情報ファイル２６４は、診療行為毎にスタンプの情報を格納したファイルである。
【００３７】
ここで、電子カルテ装置２０においては、電子カルテ情報を入力する際のユーザーの操作負担を軽減するために、使用頻度の高い診療行為（複数の診療行為の組み合わせからなる診療行為のセットを含む）の情報が予めスタンプ（プリセット）として用意されており、操作部２２によりスタンプを選択して新規カルテ入力領域５２ａの診療行為領域５２２（図４Ｂ参照）にドラッグアンドドロップすることで、診療行為を容易に電子カルテに入力することができるようになっている。スタンプ情報ファイル２６４は、この予め用意された複数のスタンプの情報を格納している。スタンプの情報は、区分（例えば、「検体検査」、「生体検査」、「細菌検査」、「注射」、「処置」、「手術」、「放射線」等）、スタンプ名（例えば、区分が「放射線」の場合、「胸部単純Ｘ線撮影」、「腹部単純Ｘ線撮影」等）、及び診療行為（例えば、スタンプ名が「胸部単純Ｘ線撮影」の場合、「単純Ｘ線撮影」、「電子画像管理加算」、「電子媒体保存撮影」等）により構成される。
【００３８】
〔診断システム１の動作〕
次に、開業医やクリニック等の小規模な医療施設に一の患者が来院した際の診断の流れ及び診断システム１の動作について説明する。
【００３９】
患者が来院すると、まず、受付に設けられた受付装置３０において、オペレーターの操作により患者情報の入力（受付入力）が行われる。受付装置３０においては、患者情報が入力されると、受付番号を発行し、受付番号、受付日付、及び患者情報を含む受付情報を生成する。そして、生成した受付情報を記憶部に記憶するとともに、通信ネットワークＮを介して受付情報を電子カルテ装置２０及び医事会計システム４０に送信する。
【００４０】
受付番号が付与された患者が診察室に移動すると、医師により問診が行われる。問診時には、医師は電子カルテ装置２０において操作部２２により診断対象の患者の患者情報（受付情報）を指定してその患者のカルテ画面Ｇ１を開き、その患者の過去のカルテを参照して経過履歴等を確認する。次いで、問診や経過履歴に基づいて行うべき検査、処置等を決定する。撮影検査を行う場合には、患者を撮影室に移動させてモダリティー１０等により撮影を行う。
【００４１】
撮影後、医師は撮影により得られた医用画像を参照し、診断を行う。そして、行った診療行為や診断結果をその患者のカルテ画面Ｇ１から入力する。電子カルテ装置２０は、カルテ画面Ｇ１から入力された情報に基づいて電子カルテ情報を作成し、電子カルテＤＢ２６２に記憶するとともに、その患者情報、日付及び診療行為情報を医事会計システム４０に送信する。医事会計システム４０においては、患者に対する保険点数計算等を行う。
【００４２】
ここで、診療行為情報の入力は、その診療行為を行う前に行っても良いし、後に行っても良いが、医用画像の撮影が行われる場合は、診療報酬の請求のために、必ず電子カルテ装置２０において医用画像の撮影検査についての診療行為情報が入力される。
【００４３】
しかしながら、従来、電子カルテ装置とモダリティーのコンソールや医用画像管理装置（例えば、特許文献1参照）はそれぞれ独立しており、電子カルテ装置上の入力と医用画像管理装置上の入力は互いに連携していなかった。そのため、医用画像の撮影を行う場合、電子カルテ装置における入力とは別途、検査オーダー情報を発行したり、医用画像管理装置やモダリティーのコンソールで医用画像の取り込み操作を行ったりする必要があり、医師一人の運用では操作が非常に煩雑であり、効率が悪かった。ここで、医用画像の取り込みとは、モダリティー１０で撮影され、送信された医用画像を患者情報と対応付けて画像ＤＢ２６３等の記憶手段に記憶することを指す。
【００４４】
そこで、本実施形態の電子カルテ装置２０においては、電子カルテ機能プログラムＰ１と画像ビューアー機能プログラムＰ２とを備え、制御部２１は、電子カルテ機能プログラムＰ１及び画像ビューアー機能プログラムＰ２との協働により、操作部２２によりカルテ画面Ｇ１から医用画像の撮影検査に係る診療行為情報が入力された場合に、モダリティー１０において撮影され、送信された医用画像を、現在カルテ画面Ｇ１が開かれている患者の患者情報と自動的に対応付けて画像ＤＢ２６３に記憶することを可能とする。即ち、従来の電子カルテ画面では不可能であった医用画像と患者情報との対応付けを、診断の流れの中において必ず行う簡単な操作で容易に可能とする。
【００４５】
以下、上記の診断の流れにおいて、電子カルテ装置２０においてモダリティー１０からの医用画像の取り込み及び表示を行う際の処理（画像取り込み表示処理）の流れについて説明する。
【００４６】
図３は、電子カルテ装置２０及びモダリティー１０により実行される画像取り込み表示処理の流れを示す図である。電子カルテ装置２０側の処理は、制御部２１と、電子カルテ機能プログラムＰ１及び画像ビューアー機能プログラムＰ２との協働により実行される。図３のモダリティー１０側の処理は、モダリティー１０の制御部（図示せず）と制御プログラムとの協働により実行される。
【００４７】
電子カルテ装置２０において、医師による操作部２２の操作により受付リスト画面（図示せず）の表示が指示されると、制御部２１は、電子カルテ機能プログラムＰ１に従って、受付日付が本日の受付情報を記憶部２６に記憶されている受付リストＤＢ２６１から読み出し、表示部２３に受付リスト画面を表示させる（ステップＳ１）。受付リスト画面は、受付情報（受付された患者の患者情報）の一覧が表示された画面であり、この受付リスト画面から操作部２２により診断対象の患者を指定することができる（患者指定手段）。
【００４８】
電子カルテ装置２０において、表示部２３に表示された受付リスト画面から操作部２２により診断対象の患者の患者情報（受付情報）が指定されると（ステップＳ２）、制御部２１は、電子カルテ機能プログラムＰ１に従って、指定された患者についてのカルテ画面Ｇ１を表示部２３に表示させる（ステップＳ３）。
【００４９】
図４Ａに、カルテ画面Ｇ１の一例を示す。図４Ａに示すように、カルテ画面Ｇ１には、患者情報表示領域Ｐ、表示モード選択ボタンＢ１〜Ｂ３、カルテ表示領域５１、カルテ表示領域５２、過去カルテ選択領域５３、新規カルテボタン５４、スタンプ箱５５等が設けられている。
【００５０】
患者情報表示領域Ｐは、ステップＳ２において指定された患者情報を表示する領域である。
【００５１】
表示モード選択ボタンＢ１〜Ｂ３は、表示部２３における画面の表示モードを選択するためのボタンである。表示モード選択ボタンＢ１は、画面の表示モードとして、カルテ画面Ｇ１を表示部２３の画面全面に表示するカルテ表示モードを選択するためのボタンである。
表示モード選択ボタンＢ２は、表示部２３における画面の表示モードとして、カルテ・ビューアー画面Ｇ２を表示部２３に表示するカルテ・ビューアー表示モードを選択するためのボタンである。図５に、カルテ・ビューアー画面Ｇ２の一例を示す。カルテ・ビューアー画面Ｇ２は、カルテ画面Ｇ１を表示するための領域６１とビューアー画面Ｇ３を表示するための領域６２を有し、双方の画面を同時に表示する。操作部２２により表示モード選択ボタンＢ２を押下し、カルテ・ビューアー表示モードを選択することにより、カルテ・ビューアー画面Ｇ２に切り替えることができる。
表示モード選択ボタンＢ３は、表示部２３における画面の表示モードとして、ビューアー画面Ｇ３を表示部２３の画面全面に表示するビューアー表示モードを選択するためのボタンである。図６に、ビューアー画面Ｇ３の一例を示す。ビューアー画面Ｇ３は、診断対象の患者の医用画像を表示するための医用画像表示領域７１を有し、医師が医用画像を観察し、読影診断するための画面である。操作部２２により表示モード選択ボタンＢ３を押下し、ビューアー表示モードを選択することにより、ビューアー画面Ｇ３を表示することができる。
【００５２】
カルテ表示領域５１、５２は、過去カルテ選択領域５３から選択された過去カルテ（過去の電子カルテ情報）、又は、新規の電子カルテ情報を入力するための新規カルテ入力領域５２ａを表示するための領域である。なお、デフォルトでは、図４Ａに示すように、カルテ表示領域５１、５２には、それぞれ直近に作成された２つの過去の電子カルテ情報が表示される。
新規カルテボタン５４は、カルテ表示領域５２に新規カルテ入力領域５２ａを表示する（新規カルテを開く）ことを指示するためのボタンである。
【００５３】
スタンプ箱５５は、区分毎に、その区分に属する診療行為のスタンプを選択可能に表示する領域である。スタンプ箱５５の各タブ（検体検査、生体検査、細菌検査、注射、・・・、放射線等）は各区分を表しており、タブを操作部２２により押下することで、タブに表示された区分に属するスタンプを表示することができる。
【００５４】
電子カルテ装置２０において、操作部２２により新規カルテボタン５４が押下されると、制御部２１は、電子カルテ機能プログラムＰ１に従って、新規カルテを開く、即ち、表示部２３に表示されているカルテ画面Ｇ１のカルテ表示領域５２に新規カルテ入力領域５２ａを表示する（ステップＳ４）。
【００５５】
図４Ｂに、新規カルテ入力領域５２ａが表示されたカルテ画面Ｇ１の一例を示す。新規カルテ入力領域５２ａには、自由記述領域５２１と診療行為領域５２２が設けられている。自由記述領域５２１は、上述の自由記述情報を入力するための領域である。診療行為領域５２２は、上述の診療行為情報を入力するための領域である。診療行為領域５２２には、図４Ｂに示すように、実施する診療行為に係るスタンプ（図４ＢにおいてＳｔで示す）を入力することができる。
【００５６】
操作部２２によりスタンプ箱５５から医用画像の撮影検査に係るスタンプ（例えば、区分「放射線」、スタンプ名「胸部単純Ｘ線撮影」のスタンプ等）が新規カルテ入力領域５２ａの診療行為領域５２２にドラッグアンドドロップされ、医用画像の撮影検査に係る診療行為情報が入力されると（ステップＳ５）、制御部２１は、電子カルテ機能プログラムＰ１に従って、画像取り込み指示情報を画像ビューアー機能プログラムＰ２に出力する（ステップＳ６）。画像取り込み指示情報は、例えば、Modality：CR、Patient ID：001、CR Online：ONのように、撮影に用いられるモダリティー１０の種類（ここでは、ＣＲ）、表示されているカルテ画面Ｇ１の患者ＩＤ、ＣＲの画像取り込み機能がＯＮであることを示す情報を示すファイルである。なお、スタンプ情報ファイル２６４の医用画像の撮影検査に係るスタンプには、予め撮影に用いられるモダリティー１０の種類が対応付けて記憶されている。
【００５７】
次いで、制御部２１は、画像ビューアー機能プログラムＰ２に従って、画像取り込み指示情報を解釈し（ステップＳ７）、入力されたスタンプに対応する種類のモダリティー１０に対し、通信部２４により撮影スタンバイの指示を送信する（ステップＳ８）。また、制御部２１は、画像ビューアー機能プログラムＰ２に従って、モダリティー１０からの医用画像の受信のスタンバイを行う（ステップＳ９）。
【００５８】
モダリティー１０においては、電子カルテ装置２０からの指示を受信すると、撮影スタンバイを行う（ステップＳ１０）。そして、医師や撮影技師の操作に応じて患者の診断対象部位の撮影を行い（ステップＳ１１）、撮影により得られた医用画像を通信ネットワークＮを介して電子カルテ装置２０に送信する（ステップＳ１２）。
【００５９】
電子カルテ装置２０において、通信部２４によりモダリティー１０からの医用画像が受信されると（ステップＳ１３）、制御部２１は、画像ビューアー機能プログラムＰ２に従って、受信した医用画像を現在表示されているカルテ画面Ｇ１の患者情報に対応付けて画像ＤＢ２６３に記憶する（ステップＳ１４）。
【００６０】
次いで、制御部２１は、画像ビューアー機能プログラムＰ２に従って、受信した医用画像を縮小して縮小画像を生成する（ステップＳ１５）。縮小画像は、例えば、ＪＰＥＧ形式等の画像である。そして、制御部２１は、画像ビューアー機能プログラムＰ２に従って、生成された縮小画像と、画像情報と、カルテレイアウト指示情報を電子カルテ機能プログラムＰ１に出力する（ステップＳ１６）。画像情報は、例えば、Modality：CR、Patient ID:001、Body Part: Chestのように、撮影に使用したモダリティー１０の種類（ここでは、ＣＲ）、患者ＩＤ、撮影部位（ここでは、胸部）を示すファイルである。また、カルテレイアウト指示情報は、例えば、Layout：mixのように、カルテ・ビューアー画面Ｇ２に自動的に切り替えることを指示する情報である。
【００６１】
次いで、制御部２１は、電子カルテ機能プログラムＰ１に従って、表示部２３の画面上の表示レイアウトを変更し、表示部２３にカルテ・ビューアー画面Ｇ２を自動的に切り替え表示する（ステップＳ１７）。そして、制御部２１は、電子カルテ機能プログラムＰ１に従って、領域６１に表示されたカルテ画面Ｇ１の新規カルテ入力領域５２ａに、撮影により得られた医用画像の縮小画像を自動的に貼り付けて表示する（ステップＳ１８）。また、制御部２１は、画像ビューアー機能プログラムＰ２に従って、領域６２に表示されたビューアー画面Ｇ３の医用画像表示領域７１に、モダリティー１０から受信した医用画像を表示する（ステップＳ１９）。
【００６２】
図５は、ステップＳ１８、Ｓ１９の処理後に表示部２３に表示されるカルテ・ビューアー画面Ｇ２の一例を示している。
上記画像取り込み表示処理によれば、電子カルテ装置２０において、診断対象の患者を指定してカルテ画面Ｇ１を表示し、操作部２２により新規カルテ入力領域５２ａに医用画像の撮影検査に係るスタンプがドラッグアンドドロップされると、ドラッグアンドドロップされたスタンプに対応する種類のモダリティー１０で撮影された医用画像が自動的に電子カルテ装置２０に取り込まれる。そして、図５に示すように、表示部２３の画面のレイアウトがカルテ・ビューアー画面Ｇ２に自動的に切り替わり、取り込まれた医用画像のビューアー画面Ｇ３が領域６２に表示されるとともに、領域６１に表示されたカルテ画面Ｇ１の新規カルテ入力領域５２ａにその縮小画像が自動貼り付けされる。
【００６３】
従って、医師は、診断対象（即ち、撮影対象）の患者のカルテ画面Ｇ１から医用画像の撮影検査に係る診療行為を入力するという、医用画像の撮影検査を行う場合に必ず行う操作を行うだけで、モダリティー１０で撮影された医用画像と患者情報とを対応付けることが可能となるので、診断時の操作性及び診断効率を向上させることができる。
【００６４】
診断が終了し、操作部２２の操作により表示されているカルテ画面Ｇ１が閉じられると、制御部２１は、電子カルテ機能プログラムＰ１に従って、新規カルテ入力領域５２ａから入力された情報に基づいて電子カルテ情報を作成し、電子カルテＤＢ２６２に記憶するとともに、その患者情報、日付及び診療行為情報を医事会計システム４０に送信する。
【００６５】
＜第２の実施形態＞
次に、第２の実施形態について説明する。
【００６６】
〔診断システム２の構成〕
図７に、第２の実施形態における診断システム２の全体構成例を示す。
図７に示すように、診断システム２は、マスターとなる電子カルテ装置２０Ａ（第１の電子カルテ装置）とスレーブとなる電子カルテ装置２０Ｂ（第２の電子カルテ装置）が備えられている点が第１の実施形態の診断システム１とは異なる。
【００６７】
電子カルテ装置２０Ａは、診察室に備えられ、医師が患者の問診や診断をしながら電子カルテ情報や医用画像を参照したり、電子カルテ情報を入力したりするためのコンピューター装置である。電子カルテ装置２０Ａは、第１の実施形態の電子カルテ装置２０と略同様の機能を有するが、カルテ画面Ｇ１の新規カルテ入力領域５２ａにスタンプが入力された際に電子カルテ装置２０Ｂに検査オーダー情報を送信する点が電子カルテ装置２０とは異なる。なお、１台の電子カルテ装置に電子カルテ装置２０の機能と電子カルテ装置２０Ａの機能を備える構成とし、操作部２２により何れの動作を行うかを設定できるようにしてもよい。
【００６８】
電子カルテ装置２０Ａの記憶部２６には、マスター用の電子カルテ機能プログラムＰ１１、マスター用の画像ビューアー機能プログラムＰ１２が記憶されている。制御部２１は、これらのプログラムとの協働により、後述する画像取り込み表示処理Ｂ（図８Ａ〜図８Ｂ参照）の電子カルテ装置２０Ａ（マスター）側の処理を実現し、制御手段として機能する。その他の電子カルテ装置２０Ａの構成は、図２に示す構成と同様であるので説明を援用する。
【００６９】
電子カルテ装置２０Ｂは、撮影室に備えられ、医師又は撮影技師が撮影室で検査オーダー情報の内容やモダリティー１０により撮影された医用画像を確認するための装置である。
電子カルテ装置２０Ｂの記憶部２６には、スレーブ用の電子カルテ機能プログラムＰ２１、スレーブ用の画像ビューアー機能プログラムＰ２２が記憶されており、制御部２１とこれらのプログラムとの協働により、後述する画像取り込み表示処理Ｂ（図８Ａ〜図８Ｂ  参照）の電子カルテ装置２０Ｂ（スレーブ）側の処理を実現する。また、電子カルテ装置２０Ｂの記憶部２６には、少なくとも、受付リストＤＢ２６１が備えられている。その他の電子カルテ装置２０Ｂの構成は、図２に示す構成と同様であるので説明を援用する。
【００７０】
モダリティー１０、受付装置３０、医事会計システム４０の構成は、第１の実施形態で説明したものと略同様であるので説明を援用する。なお、受付装置３０において入力された受付情報は、通信ネットワークＮを介して電子カルテ装置２０Ａ、２０Ｂの双方に送信されるようになっている。
【００７１】
〔診断システム２の動作〕
次に、診断システム２の動作について説明する。
【００７２】
図８Ａ〜図８Ｂは、電子カルテ装置２０Ａ、２０Ｂ及びモダリティー１０により実行される画像取り込み表示処理Ｂの流れを示す図である。
【００７３】
電子カルテ装置２０Ａにおいて、医師による操作部２２の操作により受付リスト画面（図示せず）の表示が指示されると、制御部２１は、電子カルテ機能プログラムＰ１１に従って、受付日付が本日の受付情報を記憶部２６に記憶されている受付リストＤＢ２６１から読み出し、表示部２３に受付リスト画面を表示させる（ステップＳ３１）。
【００７４】
電子カルテ装置２０Ａにおいて、表示部２３に表示された受付リスト画面から操作部２２により診断対象の患者の患者情報（受付情報）が指定されると（ステップＳ３２）、制御部２１は、電子カルテ機能プログラムＰ１１に従って、指定された患者についてのカルテ画面Ｇ１を表示部２３に表示させる（ステップＳ３３）。カルテ画面Ｇ１は、図４Ａ、図４Ｂに示したものと同様である。
【００７５】
電子カルテ装置２０Ａにおいて、操作部２２により新規カルテボタン５４が押下されると、制御部２１は、電子カルテ機能プログラムＰ１１に従って、新規カルテを開く、即ち、表示部２３に表示されているカルテ画面Ｇ１のカルテ表示領域５２に新規カルテ入力領域５２ａを表示する（ステップＳ３４）。
【００７６】
電子カルテ装置２０Ａにおいて、操作部２２によりスタンプ箱５５から医用画像の撮影検査に係るスタンプ（例えば、区分「放射線」、スタンプ名「胸部単純Ｘ線撮影」のスタンプ等）が新規カルテ入力領域５２ａの診療行為領域５２２にドラッグアンドドロップされ、医用画像の撮影検査に係る診療行為情報が入力されると（ステップＳ３５）、制御部２１は、電子カルテ機能プログラムＰ１１に従って、検査オーダー情報を生成し、通信部２４により電子カルテ装置２０Ｂに送信する（ステップＳ３６）。検査オーダー情報は、例えば、入力されたスタンプの情報、表示されているカルテ画面Ｇ１の患者ＩＤ、ステップＳ３２で指定された受付情報の受付番号等を示す情報である。また、電子カルテ装置２０Ａの制御部２１は、電子カルテ機能プログラムＰ１１に従って、画像ビューアー機能プログラムＰ１２に画像スタンバイ指示を出力し（ステップＳ３７）、画像ビューアー機能プログラムＰ１２に従って、医用画像の受信スタンバイを行う（ステップＳ３８）。
【００７７】
電子カルテ装置２０Ｂにおいて、通信部２４により検査オーダー情報が受信されると、制御部２１は、電子カルテ機能プログラムＰ２１に従って、受付リストＤＢ２６１の、受信された検査オーダー情報と受付番号が対応する受付情報を検索し、検索された受付情報に「撮影予約」のステータス情報を付加する。また、受信された検査オーダー情報を受付情報に対応付けて記憶部２６に記憶する（ステップ３９）。
【００７８】
次いで、電子カルテ装置２０Ｂの制御部２１は、電子カルテ機能プログラムＰ２１に従って、受付リストＤＢ２６１からステータスが「撮影予約」となっている受付情報の検索を行い、表示部２３の受付リスト画面にフィルタ表示する（ステップＳ４０）。即ち、検査オーダー情報が発行された受付情報のリストが表示部２３に表示されるので、撮影室において検査オーダー情報が発行されたことを確認することが可能となる。
【００７９】
電子カルテ装置２０Ｂにおいては、表示部２３に表示された受付リスト画面から操作部２２により撮影対象の患者の患者情報（受付情報）が指定されると（ステップＳ４１）、制御部２１は、電子カルテ機能プログラムＰ２１に従って、指定された患者についてのカルテ画面Ｇ１を表示部２３に表示させる（ステップＳ４２）。ここでは、診療行為領域５２２に検査オーダー情報に含まれるスタンプが表示されたカルテ画面Ｇ１（即ち、電子カルテ装置２０Ａと同様の画面）が表示される。また、カルテ画面Ｇ１には、画像取り込みボタンＢ４（図４Ａ、図４Ｂ参照）が表示される。画像取り込みボタンＢ４は、モダリティー１０から送信された医用画像を指定されている（カルテ画面Ｇ１が表示されている）患者の医用画像として取り込むことを指示するためのボタンである。画像取り込みボタンＢ４は、「ＣＲ」、「ＤＲ−１（ＦＰＤ）」、「ＵＳ」のように、モダリティー１０の種類毎に設けられている。
【００８０】
電子カルテ装置２０Ｂにおいて、操作部２２により画像取り込みボタンＢ４が押下されると（ステップＳ４３）、制御部２１は、電子カルテ機能プログラムＰ２１に従って、画像取り込み指示情報を画像ビューアー機能プログラムＰ２２に出力する（ステップＳ４４）。また、制御部２１は、電子カルテ機能プログラムＰ２１に従って、現在指定されている患者の受付情報のステータスを「撮影中」に更新する（ステップＳ４５）。画像取り込み指示情報は、例えば、Modality：CR、Patient ID：001、CR Online：ONのように、押下された画像取り込みボタンＢ４に対応するモダリティー１０の種類（ここでは、ＣＲ）、表示されているカルテ画面Ｇ１の患者ＩＤ、ＣＲの画像取り込みボタンＢ４がＯＮであることを示す情報を示すファイルである。
【００８１】
次いで、電子カルテ装置２０Ｂの制御部２１は、画像ビューアー機能プログラムＰ２２に従って、画像取り込み指示情報を解釈し（ステップＳ４６）、押下された画像取り込みボタンＢ４に対応する種類のモダリティー１０に対し、通信部２４により撮影スタンバイの指示を送信する（ステップＳ４７）。また、制御部２１は、モダリティー１０からの医用画像の受信のスタンバイを行う（ステップＳ４８）。
【００８２】
モダリティー１０においては、電子カルテ装置２０Ｂからの指示を受信すると、撮影スタンバイを行う（ステップＳ４９）。そして、医師や撮影技師の操作に応じて患者の診断対象部位の撮影を行い（ステップＳ５０）、撮影により得られた医用画像を通信ネットワークＮを介して電子カルテ装置２０Ｂに送信する（ステップＳ５１）。
【００８３】
電子カルテ装置２０Ｂにおいて、通信部２４によりモダリティー１０からの医用画像が受信されると（ステップＳ５２）、制御部２１は、画像ビューアー機能プログラムＰ２２に従って、表示部２３の画面をビューアー画面Ｇ３に切り替え、受信した医用画像を医用画像表示領域７１に表示させる（ステップＳ５３）。また、制御部２１は、画像ビューアー機能プログラムＰ２２に従って、受信した医用画像を通信部２４により電子カルテ装置２０Ａに送信するとともに（ステップＳ５４）、電子カルテ機能プログラムＰ２１に撮影終了通知を出力する（ステップＳ５５）。そして、電子カルテ装置２０Ｂの制御部２１は、電子カルテ機能プログラムＰ２１に従って、撮影対象として指定されている患者の受付情報のステータスを「撮影終了」に更新する（ステップＳ５６）。
【００８４】
電子カルテ装置２０Ａにおいては、通信部２４により電子カルテ装置２０Ｂからの医用画像を受信すると（ステップＳ５７）、受信した医用画像を現在表示されているカルテ画面Ｇ１の患者情報に対応付けて画像ＤＢ２６３に記憶する（ステップＳ５８）。
ステップＳ５９以降の電子カルテ装置２０Ａの処理は図３のステップＳ１５以降の処理と同様であるので説明を援用する。
【００８５】
このように、第２の実施形態においては、医師は、医用画像を撮影する場合に必ず行う、診断対象（即ち、撮影対象）の患者のカルテ画面Ｇ１から医用画像の撮影検査に係る診療行為情報（スタンプ情報）を入力する操作を行うだけで、撮影室にある電子カルテ装置２０Ｂに検査オーダー情報が送信されるので、検査オーダー情報を発行する操作が不要となり、診断時の操作性を向上させることができる。
【００８６】
診断が終了し、操作部２２の操作により表示されているカルテ画面Ｇ１が閉じられると、電子カルテ装置２０Ａの制御部２１は、電子カルテ機能プログラムＰ１１に従って、新規カルテ入力領域５２ａから入力された情報に基づいて電子カルテ情報を作成し、電子カルテＤＢ２６２に記憶するとともに、その患者情報、日付及び診療行為情報を医事会計システム４０に送信する。
【００８７】
以上説明したように、第１の実施形態における診断システム１の電子カルテ装置２０によれば、制御部２１は、表示部２３に表示されているカルテ画面Ｇ１において操作部２２により医用画像の撮影検査に係る診療行為情報が入力された場合、モダリティー１０から送信された医用画像を表示部２３に表示されているカルテ画面Ｇ１の患者の患者情報に対応付けて記憶部２６に記憶させる。
従って、医師は、診断対象（即ち、撮影対象）の患者のカルテ画面Ｇ１から医用画像の撮影検査に係る診療行為を入力するという、医用画像の撮影検査を行う場合に必ず行う操作を行うだけで、モダリティー１０で撮影された医用画像と患者情報とを対応付けることが可能となるので、診断時の操作性及び診断効率を向上させることができる。
【００８８】
また、第２の実施形態における診断システム２の電子カルテ装置２０Ａによれば、制御部２１は、表示部２３に表示されているカルテ画面Ｇ１において操作部２２により医用画像の撮影検査に係る診療行為情報が入力された場合、この医用画像の撮影検査に係る検査オーダー情報を生成して電子カルテ装置２０Ｂに送信し、電子カルテ装置２０Ｂを介してモダリティー１０から受信した医用画像を表示部２３に表示されているカルテ画面Ｇ１の患者の患者情報に対応付けて記憶部２６に記憶させる
【００８９】
従って、医用画像を撮影する場合に必ず行う、診断対象（即ち、撮影対象）の患者のカルテ画面Ｇ１から医用画像の撮影検査に係る診療行為情報を入力する操作を行うだけで、撮影室にある電子カルテ装置２０Ｂに検査オーダー情報を送信することができるので、検査オーダー情報を発行するための操作が不要となり、診断時の操作性を向上させることができる。
また、電子カルテ装置２０Ｂを介して受信したモダリティー１０からの医用画像は自動的に表示部２３に表示されているカルテ画面Ｇ１の患者の患者情報に対応付けて画像ＤＢ２６３に記憶されるので、医用画像と患者情報との対応付けが不要となり、診断時の操作性及び診断効率を向上させることができる。
【００９０】
また、診断システム１及び２におけるカルテ画面Ｇ１には、予め定められた複数の診療行為の中から実施する診療行為を選択するための各診療行為毎のスタンプが表示されており、医用画像の撮影検査に係る診療行為情報の入力は、カルテ画面Ｇ１の新規カルテ入力領域５２ａに医用画像の撮影検査に係るスタンプをドラッグアンドドロップすることにより行うことができるので、簡単な操作で診療行為情報の入力を行うことが可能となる。
【００９１】
また、電子カルテ装置２０Ｂの表示部２３には、電子カルテ装置２０Ａから検査オーダー情報が発行されたこと及びその検査オーダー情報の詳細内容が表示されるので、撮影室において検査オーダー情報の発行及びその詳細内容の確認を行うことが可能となる。
【００９２】
なお、上記実施形態における記述は、本発明に係る電子カルテ装置の例であり、これに限定されるものではない。
【００９３】
例えば、上記実施形態では、デフォルトでは、図４Ａに示すように、カルテ画面Ｇ１カルテ表示領域５１、５２には、それぞれ直近に作成された２つの過去の電子カルテ情報が表示されていることとしたが、カルテ表示領域５１又は５２に新規カルテ入力領域５２ａを表示しておくこととしてもよい。
【００９４】
また、上記実施形態では、検査装置をモダリティー１０とし、患者の診断対象部位の医用画像を検査結果情報とした場合を例にとり説明したが、検査装置としては、例えば、血液検査や生体検査の検査結果情報を収集する検体検査装置や心電計等としてもよい。この場合、電子カルテ装置２０や電子カルテ装置２０Ａは、検査結果情報を画像化して診断対象の患者の患者情報に対応付けて画像ＤＢ２６３に記憶させることとしてもよいし、検体検査等の検査結果情報を記憶するためのデータベースを備え、検査結果情報を診断対象の患者の患者情報に対応付けてデータベースに記憶させることとしてもよい。
【００９５】
また、上記実施形態においては、電子カルテ装置２０は、電子カルテ機能プログラムＰ１と画像ビューアー機能プログラムＰ２の２つのプログラムを有し、この２つのプログラムの連携により、制御部２１に上記画像取り込み表示処理の電子カルテ装置２０側の機能を実現させることとして説明したが、この２つのプログラムの機能を一体化した１つのプログラムとしてもよい。電子カルテ装置２０Ａ、２０Ｂについても同様である。
【００９６】
また、以上の説明では、各処理を実行するためのプログラムを格納したコンピューター読み取り可能な媒体としてＨＤＤや不揮発性メモリーを使用した例を開示したが、この例に限定されない。その他のコンピューター読み取り可能な媒体として、ＣＤ−ＲＯＭ等の可搬型記録媒体を適用することも可能である。また、プログラムのデータを通信回線を介して提供する媒体として、キャリアウェーブ（搬送波）を適用することとしてもよい。
【００９７】
その他、電子カルテ装置を構成する各部の細部構成及び細部動作に関しても本発明の趣旨を逸脱することのない範囲で適宜変更可能である。
【符号の説明】
【００９８】
１  診断システム
１０  モダリティー
２０  電子カルテ装置
２１  制御部
２２  操作部
２３  表示部
２４  通信部
２５  ＲＡＭ
２６  記憶部
２６１  受付リストＤＢ
２６２  電子カルテＤＢ
２６３  画像ＤＢ
２６４  スタンプ情報ファイル
Ｐ１  電子カルテ機能プログラム
Ｐ２  画像ビューアー機能プログラム
３０  受付装置
４０  医事会計システム
Ｎ  通信ネットワーク
Ｂ１  表示モード選択ボタン
Ｂ２  表示モード選択ボタン
Ｂ３  表示モード選択ボタン
Ｂ４  画像取り込みボタン
Ｇ１  カルテ画面
Ｇ２  カルテ・ビューアー画面
Ｇ３  ビューアー画面
５２ａ  新規カルテ入力領域
７１  医用画像表示領域
２  診断システム
２０Ａ  電子カルテ装置
２０Ｂ  電子カルテ装置
Ｐ１１  電子カルテ機能プログラム
Ｐ１２  画像ビューアー機能プログラム
Ｐ２１  電子カルテ機能プログラム
Ｐ２２  画像ビューアー機能プログラム
【図１】
2014115812.tif 000003
【図２】
2014115812.tif 000004
【図３】
2014115812.tif 000005
【図４Ａ】
2014115812.tif 000006
【図４Ｂ】
2014115812.tif 000007
【図５】
2014115812.tif 000008
【図６】
2014115812.tif 000009
【図７】
2014115812.tif 000010
【図８Ａ】
2014115812.tif 000011
【図８Ｂ】
2014115812.tif 000012